(57)【要約】【課題】スラブへの密着性を向上し得る台座及びこれを備えた床支持脚を提供する。【解決手段】床支持脚１の支柱部２０の下端に取り付けられるゴム製の台座１０であって、下端部１３に、下方側に向けて突出し、かつ周方向に延びる複数の周状壁部１６，１８が中央から外周側に向けて間隔を空けて設けられており、これら複数の周状壁部のそれぞれは、床下地５施工状態の荷重で屈曲状に変形可能とされ周方向に分離された複数の壁片部１７，１９から構成されている。【選択図】図１
2019100019.tif 000002
【特許請求の範囲】
【請求項１】
床支持脚の支柱部の下端に取り付けられるゴム製の台座であって、
下端部に、下方側に向けて突出し、かつ周方向に延びる複数の周状壁部が中央から外周側に向けて間隔を空けて設けられており、
これら複数の周状壁部のそれぞれは、床下地施工状態の荷重で屈曲状に変形可能とされ周方向に分離された複数の壁片部から構成されていることを特徴とする台座。
【請求項２】
請求項１において、
前記下端部には、外周側の前記壁片部よりも中央側に位置し、かつ中央側の前記壁片部が一体的に設けられた突出部が下方側に向けて突出するように設けられていることを特徴とする台座。
【請求項３】
請求項２において、
前記突出部は、略半球状であることを特徴とする台座。
【請求項４】
請求項１乃至３のいずれか１項において、
前記複数の周状壁部の壁片部は、中央から外周側に向かうに従い先端が上方側に位置するように形成されていることを特徴とする台座。
【請求項５】
請求項１乃至４のいずれか１項において、
前記複数の周状壁部は、上下方向に沿う方向に見て同心円状に設けられていることを特徴とする台座。
【請求項６】
請求項１乃至５のいずれか１項に記載の台座と、この台座が下端に取り付けられた支柱部と、を備えていることを特徴とする床支持脚。
【発明の詳細な説明】
【技術分野】
【０００１】
本発明は、床支持脚の支柱部の下端に取り付けられる台座及びこれを備えた床支持脚に関する。
【背景技術】
【０００２】
従来より、基礎床上に配設される根太等を支持する支持脚が知られている。このような支持脚の下端には、振動を緩和するゴム製の台座が設けられている。
例えば、下記特許文献１には、底面に輪郭壁に囲まれたリング状の凹部を設けた弾性台座を備えた床板支持装置が開示されている。
【先行技術文献】
【特許文献】
【０００３】
【特許文献１】実開平６−１５７３号公報
【発明の概要】
【発明が解決しようとする課題】
【０００４】
しかしながら、上記特許文献１に記載された床板支持装置では、スラブに凹凸や傾斜等、不陸がある場合には外周部を構成する輪郭壁が局所的にスラブに接触する状態となり易く、更なる改善が望まれる。
【０００５】
本発明は、上記実情に鑑みてなされたものであり、スラブへの密着性を向上し得る台座及びこれを備えた床支持脚を提供することを目的としている。
【課題を解決するための手段】
【０００６】
上記目的を達成するために、本発明に係る台座は、床支持脚の支柱部の下端に取り付けられるゴム製の台座であって、下端部に、下方側に向けて突出し、かつ周方向に延びる複数の周状壁部が中央から外周側に向けて間隔を空けて設けられており、これら複数の周状壁部のそれぞれは、床下地施工状態の荷重で屈曲状に変形可能とされ周方向に分離された複数の壁片部から構成されていることを特徴とする。
【０００７】
また、上記目的を達成するために、本発明に係る床支持脚は、本発明に係る台座と、この台座が下端に取り付けられた支柱部と、を備えていることを特徴とする。
【発明の効果】
【０００８】
本発明に係る台座及びこれを備えた床支持脚は、上述のような構成としたことで、スラブへの密着性を向上させることができる。
【図面の簡単な説明】
【０００９】
【図１】（ａ）、（ｂ）は、本発明の一実施形態に係る台座及びこれを備えた床支持脚の一例を模式的に示し、（ａ）は、一部破断概略側面図、（ｂ）は、概略斜視図である。
【図２】（ａ）は、一部破断概略側面図、（ｂ）は、概略底面図、（ｃ）は、（ｂ）におけるＸ１−Ｘ１線矢視に対応させた一部破断概略縦断面図、（ｄ）は、（ｂ）におけるＸ２−Ｘ２線矢視に対応させた一部破断概略縦断面図である。
【図３】（ａ）は、図２（ｃ）に対応させた一部破断概略縦断面図、（ｂ）は、同床支持脚を設置した状態の荷重と変位との関係を模式的に示すグラフである。
【発明を実施するための形態】
【００１０】
以下に本発明の実施の形態について、図面に基づいて説明する。
なお、一部の図では、他図に付している詳細な符号の一部を省略している。
また、以下の実施形態では、本実施形態に係る床支持脚を設置した状態を基準として上下方向等の方向を説明する。
【００１１】
図１〜図３（ａ）は、本実施形態に係る台座及びこれを備えた床支持脚を模式的に示す図である。
本実施形態に係る床支持脚１は、図１に示すように、本実施形態に係る台座１０と、この台座１０が下端に取り付けられた支柱部２０と、を備えている。この床支持脚１は、図１（ａ）に示すように、スラブ２上に床下空間を介在させて被支持部材としての床下地５を支持し、二重床を構築する構成とされている。この床支持脚１は、間隔を空けて複数箇所に設けられる。
スラブ２は、上階と下階との間や地盤上に設けられた基礎スラブや床スラブ等のコンクリートスラブでもよい。
【００１２】
床下地５は、上方側に設けられる床仕上材６の下地を構成する。この床下地５としては、略角柱状とされたいわゆる根太でもよく、パネル状とされた下地ボードでもよい。また、図例では、壁面３との間に隙間を設けて床下地５を配した例を示しているが、壁面３に沿わせて床下地５を設けた構成としてもよい。
床仕上材６は、木質系材料から形成されてパネル状とされたいわゆる木質系フローリングに限られず、いわゆるクッションフロアや、フロアタイル、カーペット、畳などどのようなものでもよい。また、図例では、壁面３との間に隙間を設けて床仕上材６を配し、この隙間の上方側を壁面３に固定した巾木４によって覆った例を示しているが、このような態様に限られない。
【００１３】
床支持脚１の支柱部２０は、上下方向に長尺状とされている。この支柱部２０の上端部には、床下地５に取り付けられる取付部２２が設けられている（図１（ｂ）参照）。この取付部２２は、床下地５に上下方向に貫通して設けられた貫通孔に埋込状に設けられたナット部材の雌ねじ孔にねじ合わされる雄ねじ部とされている。また、この取付部２２の上端面には、十字穴やすりわり等の操作部が設けられている。この取付部２２の操作部は、床下地５の貫通孔の表面側開口を介して差し込まれたドライバー等の治具によって操作可能とされている。この取付部２２を、床下地５のナット部材に対して進退させれば、床支持脚１に対して床下地５が上下方向に変位する構成とされている。なお、支柱部２０の取付部２２としては、このような態様に限られず、床下地５の下面側にねじ等の止具によって止着される平板状とされたものでもよく、その他、種々の構成とされたものでもよい。
【００１４】
また、本実施形態では、支柱部２０は、長さ方向に伸縮可能とされている。また、支柱部２０は、床下地５側の筒状体２１と、この筒状体２１に差し入れられる棒状体２４と、を有している。上記した取付部２２は、筒状体２１の上端部に上方側に向けて突出するように設けられている。筒状体２１の下端部には、棒状体２４の上端側部位に設けられた雄ねじ部２６を受け入れる開口が設けられている。また、筒状体２１内には、当該支柱部２０を伸長方向に付勢する付勢部材としての圧縮コイルばね２３が設けられている。この圧縮コイルばね２３の下端は、棒状体２４の雄ねじ部２６の上端部に設けられ、筒状体２１内において長手方向にスライド自在とされたスライド体の保持部に保持されている。また、この圧縮コイルばね２３は、上端部が筒状体２１内の上端に規制され、棒状体２４を筒状体２１に対して進出させる方向に付勢する構成とされている。
【００１５】
また、棒状体２４の雄ねじ部２６には、筒状体２１の下端部に当接され、当該支柱部２０を短縮不能にロックするロック機構として機能するナット部材２７が設けられている。また、雄ねじ部２６に、複数（図例では、２つ）のナット部材２７，２７をねじ合わせた構成としている。これらナット部材２７，２７のうちの上方側のナット部材２７が筒状体２１の下端部に当接され、支柱部２０が短縮不能にロック、つまり、筒状体２１内への棒状体２４の退入が不能となる。
【００１６】
また、この棒状体２４の下端に、ゴム製の台座１０が取り付けられる。棒状体２４の下端部には、図２（ｃ）に示すように、被取付部２５が設けられている。図例では、被取付部２５を、略円柱状とされた棒状体２４の下端部から径方向に突出する鍔状とした例を示している。
なお、支柱部２０は、適宜の金属系材料から形成されたものでもよい。また、支柱部２０としては、上記のような筒状体２１と棒状体２４とを備えたものに限られず、少なくとも一方が平板状やブラケット状等とされたものでもよく、さらには伸縮不能とされたものでもよく、その他、種々の構成とされたものの採用が可能である。
【００１７】
台座１０は、図２（ａ）〜（ｄ）に示すように、下端部を構成する下側部位１３に、下方側に向けて突出し、かつ周方向に延びる複数の周状壁部１６，１８を中央から外周側に向けて間隔を空けて設けた構成とされている。これら複数の周状壁部１６，１８のそれぞれは、床下地５施工状態の荷重で屈曲状に変形可能とされ周方向に分離された複数の壁片部１７，１９から構成されている（図３（ａ）も参照）。
また、台座１０の上端部を構成する上側部位１１には、棒状体２４の下端部の被取付部２５に取り付けられる取付部１２が設けられている。図例では、取付部１２を、上方側に向けて開口し、被取付部２５を受け入れる取付凹所とした例を示している。また、この取付部１２には、鍔状とされた被取付部２５の上面側を覆うように庇状部が設けられている。また、庇状部には、被取付部２５の着脱が可能なように周方向に間隔を空けて複数のスリットが設けられている（図１（ｂ）参照）。
【００１８】
この台座１０の上側部位１１は、上端側が下端側よりも小径の略円錐台状とされている。この上側部位１１の軸心（上下方向に沿う方向に見た状態の円心）に取付部１２が設けられている。
また、台座１０の下端部を構成する下側部位１３は、下端側が上端側よりも小径の略円錐台状とされている。この下側部位１３と上側部位１１とは同軸状に一体的に設けられている。図例では、下側部位１３の上端部を上側部位１１の下端部よりも大径状とし、下側部位１３と上側部位１１との境界部に段差を設けた例を示しているが、このような態様に限られない。
また、この下側部位１３の下面１４側に複数の周状壁部１６，１８が一体的に設けられている。
【００１９】
また、本実施形態では、台座１０の下側部位１３に、外周側の壁片部（外周側壁片部）１９よりも中央側に位置し、かつ中央側の壁片部（中央側壁片部）１７が一体的に設けられた突出部１５を下方側に向けて突出するように設けた構成としている。この突出部１５は、下側部位１３の軸心に設けられている。また、突出部１５は、下方側に向かうに従い先細状とされている。また、突出部１５は、側周面が突湾曲面状とされている。また、突出部１５は、上下方向に沿う方向に見て（底面視して）円状とされている。本実施形態では、この突出部１５を、略半球状としている。図例では、突出部１５の先端部に略水平状の平坦状部を設けた例を示している。
この突出部１５の底面視した状態における径は、下側部位１３の下面１４の径の１／３〜２／３程度でもよく、図例では、概ね１／２程度とした例を示している。
【００２０】
複数の周状壁部１６，１８は、図２（ｂ）に示すように、本実施形態では、底面視して同心円状に設けられている。また、これら複数の周状壁部１６，１８を、中央から外周側に向かう方向となる径方向に等間隔を空けて設けた構成としている。図例では、７つの周状壁部１６，１８を設けた例を示しているが、２以上の周状壁部１６，１８を設けた構成であればよく、４〜１５程度の周状壁部１６，１８を設けた構成としてもよい。
これら周状壁部１６，１８の各壁片部１７，１９は、径方向に厚さ方向を沿わせた薄板状とされ、円弧状に形成されている。これら壁片部１７，１９の厚さ寸法は、床下地５施工状態の荷重で屈曲状に変形可能なように適宜の寸法としてもよく、例えば、０．２ｍｍ〜２．０ｍｍ程度でもよく、好ましくは、１．０ｍｍ以下としてもよく、０．５ｍｍ程度としてもよい。また、径方向に隣り合う壁片部１７，１９同士の間隔は、適宜の間隔でもよく、各壁片部１７，１９の厚さ寸法の１／２倍〜５倍程度でもよく、好ましくは、１倍〜３倍程度でもよく、図例では、２倍程度とした例を示している。
【００２１】
また、本実施形態では、各周状壁部１６，１８の壁片部１７，１９を、周方向に間隔を空けて設けた構成としている。図例では、各周状壁部１６，１８を、周方向に等間隔を空けて設けられた８つの壁片部１７，１９によって構成した例を示している。換言すれば、各周状壁部１６，１８は、８等分状に壁片部１７，１９を設けた構成とされている。なお、各周状壁部１６，１８を８つの壁片部１７，１９によって構成した例に限られず、２以上の壁片部１７，１９によって構成すればよく、４〜１６程度の壁片部１７，１９によって構成したものでもよい。
また、各周状壁部１６，１８の周方向に隣り合う壁片部１７，１９同士の間隔を、径方向に見て一致するように設けた構成としている。つまり、周方向に隣り合う壁片部１７，１９同士の間隔によって底面視して放射状の通路が設けられたような構成とされている。この周方向に隣り合う壁片部１７，１９同士の間隔は、適宜の間隔でもよく、各壁片部１７，１９の厚さ寸法の１／２倍〜５倍程度でもよく、好ましくは、１倍〜３倍程度でもよく、図例では、径方向に隣り合う壁片部１７，１９同士の間隔と略同寸法としている。なお、このように各周状壁部１６，１８の壁片部１７，１９を周方向に間隔を空けて設けた態様に代えて、周方向に隣り合う壁片部１７，１９同士を略接するように設けた態様としてもよい。
【００２２】
また、これら周状壁部１６，１８の壁片部１７，１９のうち中央側の中央側壁片部１７は、上記した突出部１５から下方側に向けて突出するように設けられている。図例では、第１中央側周状壁部１６Ａ及び第２中央側周状壁部１６Ｂを構成する中央側壁片部１７を突出部１５に設けた例を示している。また、これら中央側周状壁部１６Ａ，１６Ｂは、底面視して突出部１５の外周側部位に位置するように設けられている。つまり、突出部１５の中央部には、中央側周状壁部１６（中央側壁片部１７）を設けていない構成としている。
また、これら周状壁部１６，１８の壁片部１７，１９のうち突出部１５よりも外周側に設けられた外周側壁片部１９は、突出部１５の外周側に環状に設けられた下方側に向く平坦面状の下面１４から下方側に向けて突出するように設けられている。図例では、第１外周側周状壁部１８Ａ、第２外周側周状壁部１８Ｂ、第３外周側周状壁部１８Ｃ、第４外周側周状壁部１８Ｄ及び第５外周側周状壁部１８Ｅを構成する外周側壁片部１９を下面１４に設けた例を示している。
【００２３】
また、これら周状壁部１６，１８の壁片部１７，１９は、本実施形態では、中央から外周側に向かうに従い先端が上方側に位置するように形成されている。つまり、中央側壁片部１７よりも外周側壁片部１９の先端が上方側に位置する構成とされている。つまりは、最中央側の第１中央側周状壁部１６Ａを構成する中央側壁片部１７の先端が最も下方側に位置し、最外周側の第５外周側周状壁部１８Ｅを構成する外周側壁片部１９の先端が最も上方側に位置している。また、外周側周状壁部１８を構成する外周側壁片部１９は、下面１４からの突出寸法が外周側に向かうに従い小となるように設けられている。
また、これら壁片部１７，１９の先端面を、斜め外周側に向く傾斜面状とした構成としている。図例では、これら壁片部１７，１９の先端面を、下側部位１３の上端部の軸心を略球心とする球面を構成するように設けた例を示している。
【００２４】
上記構成とされた台座１０は、ウレタンやＥＰＤＭ（エチレンプロピレンゴム）、ＳＢＲ（スチレン・ブタジエンゴム）、ＣＲ（クロロプレンゴム）、ＮＢＲ（ニトリルゴム）などの合成ゴムや天然ゴムから一体的に形成されている。また、台座１０は、突出部１５や壁片部１７，１９を含んで全体に亘って同材料から形成されている。
この台座１０を構成するゴムの硬度は、防振性の観点や過度な沈み込みを抑制する観点等から適宜の硬度としてもよい。例えば、この台座１０を構成するゴムの硬度（ショアＡ硬度（ＪＩＳ  Ｋ６２５３に準拠し、タイプＡデュロメータを用いて測定された硬度））を、５０〜８０程度としてもよく、好ましくは、６０〜７０程度としてもよい。
【００２５】
上記構成とされた台座１０を備えた床支持脚１は、床下地５に上端部の取付部２２を予め取り付けた状態で、その下端の台座１０をスラブ２に接地させて施工されるものでもよい。または、施工された床下地５の下方側に短縮させた状態で配し、伸長させてその下端の台座１０をスラブ２に接地させて施工されるものでもよい。
また、台座１０は、図３（ａ）に示すように、踏み込み等の荷重が作用していない床下地５施工状態の荷重（床支持脚１自体の荷重や上記した圧縮コイルばね２３による伸長方向への付勢力、床下地５の荷重）によってスラブ２に当接した壁片部１７，１９が変形する。この状態では、壁片部１７，１９は、スラブ２の凹凸や傾斜に追従するように変形し、台座１０の下端部がスラブ２に密着状態とされる。
【００２６】
また、台座１０は、図３（ｂ）の実線にて示すように、上記のように設置される際に壁片部１７，１９が屈曲状に変形する初期段階では比較的に低荷重で変形する。また、壁片部１７，１９がスラブ２と下面１４（本実施形態では、突出部１５）とに挟まれて密着状に変形した後は、荷重に対する変位量（スラブ２に対する台座１０上面等の床支持脚１基準点の相対変位）が初期よりも小さくなる（傾きが大きくなる）構成とされている。つまり、スラブ２上に設置する際に、初期段階では変形し易く、壁片部１７，１９が上記のように密着状に変形した後には変形し難い構成とされている。台座１０は、壁片部１７，１９が上記のように密着状に変形するまでに要する荷重が５０Ｎ以下程度となるように構成されたものでもよい。一方、このような壁片部１７，１９を設けずに、台座を円錐台状等のブロック状とした場合には、図３（ｂ）の二点鎖線にて示すように、荷重に対する変位量は、上記した台座１０の後期段階と同程度となる。
【００２７】
本実施形態に係る台座１０及びこれを備えた床支持脚１は、上述のような構成としたことで、スラブ２への密着性を向上させることができる。
つまり、台座１０の下端部に、床下地５施工状態の荷重で屈曲状に変形可能とされ周方向に分離された複数の壁片部１７，１９から構成された複数の周状壁部１６，１８を中央から外周側に向けて間隔を空けて設けた構成としている。従って、これら複数の壁片部１７，１９が上記のようにスラブ２の凹凸や傾斜を吸収するように変形し、スラブ２への密着性を向上させることができる。また、例えば、台座の下端部を異材質成形等によって上端側部位よりも低硬度のゴム製としたものでは、床下地５施工状態の荷重で圧縮された状態から踏み込まれた際に更に変形して沈み込み易くなることが考えられる。上記構成によれば、複数の壁片部１７，１９によって台座１０の下端部を疑似的に軟質にすることができるが、屈曲状に変形して互いに密着した状態では上端側部位と同硬度であるので上端側部位と同程度の変形となり、過度な沈み込みを抑制することができる。
【００２８】
また、例えば、複数の直線状の壁部を平行状に設けたようなものでは、スラブ２の凹凸や傾斜に対する台座の向き（支柱部回りの回転向き）によっては、スラブ２に接地させる際に変形し難くなることが考えられる。上記のように複数の周状壁部１６，１８を中央から外周側に向けて間隔を空けて設けた構成とすることで、このようなことを抑制することができる。また、例えば、全周に亘って閉環状（筒状）に周状壁部を設けた場合には、スラブ２に接地させる際に変形し難くなることが考えられる。上記のように複数の周状壁部１６，１８を周方向に分離された複数の壁片部１７，１９から構成することで、このようなことを抑制することができる。
【００２９】
また、本実施形態では、台座１０の下側部位１３に、外周側壁片部１９よりも中央側に位置し、かつ中央側壁片部１７が一体的に設けられた突出部１５を設けた構成としている。従って、台座１０の中央部をスラブ２に安定的に圧接させることができ、過度な沈み込みをより効果的に抑制することができる。つまり、このような突出部１５を設けていない場合には、スラブ２の凹凸や傾斜によっては台座の外周部が圧接状態となる場合もあり、この場合には踏み込まれた際に中央部が圧接された場合よりも変形し易くなることが考えられる。上記構成によれば、このようなことを抑制することができる。
また、本実施形態では、突出部１５を略半球状としている。従って、突出部１５を多角柱状等の角部がある形状としたものと比べて、台座１０の中央部をスラブ２により安定的に圧接させることができる。なお、略半球状とした態様に代えて、突出部１５を、外周面が突湾曲面状とされた円錐台状や多面体状等、種々の形状とされたものとしてもよく、さらには、このような突出部１５を設けていない構成としてもよい。
【００３０】
また、本実施形態では、壁片部１７，１９を、中央から外周側に向かうに従い先端が上方側に位置するように形成している。従って、中央側壁片部１７が外周側よりも屈曲状に変形され易くなり、台座１０の中央部をスラブ２に安定的に圧接させることができる。なお、このような態様に代えて、全ての壁片部１７，１９の先端が概ね同高さに位置する構成とされたものでもよい。
また、本実施形態では、複数の周状壁部１６，１８を、上下方向に沿う方向に見て同心円状に設けた構成としている。従って、台座１０が言わば略等方的となり、複数の周状壁部１６，１８を上下方向に沿う方向に見て多角形状としたものと比べて、スラブ２の凹凸や傾斜を効果的に吸収することができ、スラブ２への密着性を効果的に向上させることができる。なお、このような態様に代えて、複数の周状壁部１６，１８を上下方向に沿う方向に見て多角形状等とされたものとしてもよい。
【００３１】
また、本実施形態では、台座１０の上側部位１１及び下側部位１３を略円錐台状とした例を示しているが、このような態様に限られず、略円柱状や略多角柱状、略多角錐台状等としてもよく、その他、種々の形状とされたものでもよい。本実施形態に係る台座１０及びこれを備えた床支持脚１の各部の構成は、上記したような構成に限られず、その他、種々の変形が可能である。
【符号の説明】
【００３２】
１    床支持脚
１０  台座
１３  下側部位（下端部）
１５  突出部
１６  中央側周状壁部（周状壁部）
１７  中央側壁片部（壁片部）
１８  外周側周状壁部（周状壁部）
１９  外周側壁片部（壁片部）
２０  支柱部
５    床下地
【図１】
2019100019.tif 000003
【図２】
2019100019.tif 000004
【図３】
2019100019.tif 000005